(57)【要約】【課題】コネクタの小型化を図る。【解決手段】雌端子金具３に接続される個々の電線５にゴム栓６が嵌着されるものにおいて、ハウジング本体１には複数のキャビティ２が前後に貫通して形成されている。ハウジング本体１の後部に組付け凹部８を形成し、ここにシールユニット７が組み込まれる。シールユニット７はキャビティ２の後部に連通する筒状路１３が形成されたシールハウジング１１を有し、筒状路１３内にはゴム栓６が収容される。ゴム栓６を収容する部位を、ハウジング本体１と別体に形成したため、筒状路１３はキャビティ２内のランス４を成形する際の抜きを考慮した孔径にする必要がなく、その分、従来よりも小径にすることができる。【選択図】図１
2009110685.tif 000002
【特許請求の範囲】
【請求項１】
コネクタから引き出される複数の電線のそれぞれに対し、シール用のゴム栓が嵌着されてなる防水コネクタであって、
前記各電線に接続される端子金具を収容可能なキャビティが形成されたハウジング本体と、
このハウジング本体内に撓み可能に形成され前記端子金具と係止可能なランスと、
前記ハウジング本体とは別体に形成され前記ハウジング本体の後部に組み付け可能であるとともに、組付けられた状態で前記各キャビティと連通しかつゴム栓を収容可能な円筒状の筒状路を有するシールハウジングと、
このシールハウジングと前記ハウジング本体との間に介在されるシールリングとを備えてなることを特徴とするコネクタ。
【請求項２】
前記シールハウジングには、前記シールリングが一体に成形されていることを特徴とする請求項１記載の防水コネクタ。
【請求項３】
前記ハウジング本体の後部には、周壁によって取り囲まれ内側に前記シールハウジング及びシールリングを収容可能な組付け凹部が形成される一方、前記シールハウジングには同シールハウジング及び前記シールリングが前記組付け凹部内に組付けられたときに、前記ハウジング本体に係止可能なロック部が形成されていることを特徴とする請求項１または請求項２に記載の防水コネクタ。
【発明の詳細な説明】
【技術分野】
【０００１】
本発明は、防水コネクタに関する。
【背景技術】
【０００２】
従来より、コネクタハウジングから引き出される電線から水の浸入を防止する形式として、個々の電線毎にゴム栓を嵌着しておき、これを電線が差し込まれる部分の壁面に密着させる、といういわゆる個別ゴム栓方式が知られている。一例として、下記特許文献１を挙げることができる。
【０００３】
上記公報に開示されたコネクタのハウジングには、端子金具を収容するキャビティが端子金具の挿入方向に沿って貫通して形成されている。各キャビティの内部には、端子金具を抜け止めするためのランスが撓み可能に形成されている。各キャビティの後部には、各電線に嵌着されたゴム栓を収容するためのシールタワーが、対応するキャビティから後方へ一体に延出している。各シールタワーは対応するキャビティに連通した円筒状に形成され、その内周面がゴム栓に形成されたリップと密着することによって、電線とコネクタハウジングとの間のシール性が確保されるようになっている。
【特許文献１】特開平７−３３５３１１号公報
【発明の開示】
【発明が解決しようとする課題】
【０００４】
ところで、上記コネクタハウジングは前後方向（端子金具の挿抜方向）に移動する成形型によって成形がなされる。例えば、キャビティ内のランスも、その一部はシールタワー側から後方へ型抜きされる金型によって成形される。このため、シールタワー５０の内部の大きさは、図５に示すように、シールタワー５０を後方から見た場合に、キャビティ５１における端子金具５２を収容する空間部分と、ランス５３部分を加えたものとなる。しかも、同図に示されるように、シールタワー５０はシール性を確保する関係上、縦断面形状が円形となることから、シールタワー５０を拡張すべき方向が、ランス５３の成形に必要な方向にのみ拡張されるのでなく、拡張方向が全方位に及ぶことになる。各シールタワー５０が大径化すると、これに伴ってキャビティ５１間のピッチも拡大することになり、これが原因でコネクタ全体が大型化することとなっていた。
【０００５】
本発明は上記のような事情に基づいて完成されたものであって、小型化を達成するすることができる防水コネクタを提供することを目的とする。
【課題を解決するための手段】
【０００６】
上記の目的を達成するための手段として、請求項１の発明は、コネクタから引き出される複数の電線のそれぞれに対し、シール用のゴム栓が嵌着されてなる防水コネクタであって、前記各電線に接続される端子金具を収容可能なキャビティが形成されたハウジング本体と、このハウジング本体内に撓み可能に形成され前記端子金具と係止可能なランスと、前記ハウジング本体とは別体に形成され前記ハウジング本体の後部に組み付け可能であるとともに、組付けられた状態で前記各キャビティと連通しかつゴム栓を収容可能な円筒状の筒状路を有するシールハウジングと、このシールハウジングと前記ハウジング本体との間に介在されるシールリングとを備えてなるところに特徴を有する。
【０００７】
請求項２の発明は、請求項１に記載のものにおいて、前記シールハウジングには、前記シールリングが一体に成形されているところに特徴を有する。
【０００８】
請求項３の発明は、請求項１または請求項２に記載のものにおいて、前記ハウジング本体の後部には、周壁によって取り囲まれ内側に前記シールハウジング及びシールリングを収容可能な組付け凹部が形成される一方、前記シールハウジングには同シールハウジング及び前記シールリングが前記組付け凹部内に組付けられたときに、前記ハウジング本体に係止可能なロック部が形成されているところに特徴を有する。
【発明の効果】
【０００９】
＜請求項１の発明＞
請求項１の発明によれば、コネクタをハウジング本体とシールハウジングとから構成し、キャビティの後部側をハウジング本体とは別途成形するようにしている。したがって、シールハウジングの各筒状路はキャビティのランスに対する金型の抜き取りを考慮した大きさを確保する必要がなくなる。このため、従来に比較して筒状路の内径を小さくすることができ、結果としてコネクタ全体を小型化することができる。
【００１０】
＜請求項２の発明＞
請求項２の発明によれば、シールリングをシールハウジングと一体に成形したため、部品点数の削減と共に組付け作業性の向上を図ることができる。
【００１１】
＜請求項３の発明＞
請求項３の発明によれば、シールハウジングとシールリングを組付け凹部内に組み込むと、ロック部がハウジング本体に対して係止するため、これによってシールハウジングとシールリングとを抜け止め状態に保持することができる。
【発明を実施するための最良の形態】
【００１２】
＜実施形態１＞
本発明の実施形態１を図１ないし図４によって説明する。図１には、本実施形態に係る防水コネクタを構成部品毎に分解した状態が示されている。図中、１は合成樹脂材によって一体に成形されたハウジング本体である。ハウジング本体１の内部には複数のキャビティ２が前後方向（後述する雌端子金具３の挿入方向）に沿って貫通している。各キャビティ２内における前端部の底面には、端子金具（雌端子金具３）に係止して同端子金具３を抜け止め状態に保持するランス４が形成されている。ランス４は前方へ向けて延出し前端側を自由端とする片持ち状に形成され、高さ方向に撓み変形可能である。
【００１３】
上記したハウジング本体１の各キャビティ２内には雌端子金具３が挿入される。雌端子金具３は、電線５の先端を皮剥きして露出された芯線部分に接続され、前部には雄端子金具と接続可能な角筒型の接触部３Ａを有している。この接触部３Ａの底面には詳細には図示されないが、ランス４が係止可能なランスホールが開口している。電線５の前端部には雌端子金具３の後端部によってかしめ付けられたゴム栓６が嵌着されている。
【００１４】
ハウジング本体１は略直方体形状に形成され、その後部には次述するシールユニット７とを組み込むための組付け凹部８が形成されている。組付け凹部８は四方（左右両側面及び上下両面）を壁によって囲まれ、かつ後方へ開放して形成されている。組付け凹部８における上下両壁面には、ロック突部９が突出形成されている。一方、組付け凹部８の前壁面８Ａには各キャビティ２に対応して同数個の後部側開口１０が開口している。各後部側開口１０は図３に示すように、略方形状に形成されている。但し、組付け凹部８内の各四隅はシール性を考慮して緩やかな円弧面となっている。
【００１５】
ところで、ハウジング本体１はキャビティ２の内部構造（ランス等）を含めて金型によって成形されるが、この金型はハウジング本体１に対し前後方向へ開閉される一対の金型を含んでいる。このことから、各後部側開口１０は、キャビティ２の内部構造のうち所定領域（後方へ型抜きされる金型が成形を担当する領域）を成形可能な大きさに形成されている。具体的には、各キャビティ２における雌端子金具３が挿入される上部側の空間部分と、これより下部側に位置しランス４の背面部及び左右両側面部の周辺部分とを成形可能な大きさをもって開口している。
【００１６】
シールユニット７は、合成樹脂製のシールハウジング１１とこのシールハウジング１１の外周縁に二色成形によって一体化されたゴム材よりなるシールリング１２とから構成されている。シールユニット７全体は組付け凹部８に適合して嵌め入れ可能な大きさをもって形成されている。シールリング１２は外周縁において、複数のシールリップ１２Ａが全周に沿ってかつ前後方向に三条が突出形成されている。シールユニット７が組付け凹部８内に組み付けられた状態では、各シールリップ１２Ａは組付け凹部８の内壁面に密着してハウジング本体１とシールユニット７との間の水密性が保持されるようになっている。
【００１７】
シールハウジング１１は、全体が略方形状をなし、各キャビティ２に対応した位置にシール筒部１５を有する。各シール筒部１５内には縦断面が円形をなす筒状路１３がそれぞれ貫通して形成されている。各筒状路１３は、シールユニット７が組付け凹部８に組付けられた状態で、対応するキャビティ２と相互に連通するようにしてある。各筒状路１３の孔径は、雌端子金具３を挿通可能でかつゴム栓６の外周縁のリップ片６Ａと密着可能な寸法をもって形成されている。シールユニット７が組み付けられた状態で、各筒状路１３をコネクタＣの後方からキャビティ２の軸方向に沿って見たときに、筒状路１３はキャビティ２における雌端子金具３が挿通される空間及びランス４の上部側の一部を露出させる。しかし、ランス４の下部側については、筒状路１３はその開口領域の外方（下方）に位置するようにしてある。つまり、従来と比較して、筒状路１３における開口面積は、キャビティ２の後部側開口１０の面積よりも小さくなる設定である。
【００１８】
シールハウジング１１の後面側（外面側）における上下部位からは上下一対の係止腕１４（ロック部）が突出している。両係止腕１４は、高さ方向に一旦立ち上がった後に、前方へ向けて折り返すようにして形成され、シールユニット７が組付け凹部８へ組み付けられるときには、組付け凹部８の上下両壁面を外側から抱えるようにして撓み変形し、両係止腕１４に開口して形成された係止溝１４Ａが、対応するロック突部９に適合した時点で、係止腕１４全体が弾性復帰し、もって係止溝１４Ａがロック突部９に係止する。
【００１９】
次に、上記のように構成された本実施形態の作用効果を具体的に説明する。本実施形態の防水コネクタＣでは、雌端子金具３の挿入に先立って、シールユニット７が組付け凹部８に組み付けられる。そのときには、両係止腕１４の係止溝１４Ａをハウジング本体１のロック突部９に係止させることで、シールユニット７が組付け凹部８内に適合して組み込まれる。そのもとで、各筒状路１３を通してキャビティ２内へ雌端子金具３を挿入する。雌端子金具３がキャビティ２へ正規の深さ位置まで挿入されると、接触部３Ａがランス４に係止して抜け止めされる。同時に、ゴム栓６のリップ片６Ａが筒状路１３の内周面に密着して電線５とシールハウジング１１との間の水密性が確保される。また、シールユニット７が組付け凹部８に組み込まれることに伴って、シールリング１２の各シールリップ１２Ａが組付け凹部８の内周面に密着するため、シールユニット７とハウジング本体１との間のシールも併せて図られる。
【００２０】
本実施形態においては、ゴム栓６が収容される部位を、シールユニット７として構成し、ハウジング本体１とは別途に設けている。このため、ハウジング本体１におけるキャビティ２の後部側開口１０は従来通り、ランス４の背面部及び側面部の周辺部分を成形する関係で、比較的大きな開口をもって形成されるが、シールハウジング１１に形成された筒状路１３は、ランス４全体の成形を考慮する必要がなく、雌端子金具３を挿通可能な孔径より僅かに大きめの程度の孔径をもって形成すれば足りる。このため、従来に比較してゴム栓６の外径とともに、これを収容する部位（筒状路１３）の孔径も小さくなる。したがって、筒状路１３間のピッチが小さくなることに伴い、キャビティ２間ピッチも小さくすることができるため、コネクタＣ全体の小型化を図ることができる。
【００２１】
本実施形態では、シールハウジング１１とシールリング１２とを二色成形によって一体化し、シールユニット７として一部品化している。このため、部品点数の削減にも寄与し、併せて組付け工数の低減も図ることができる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２３】
（１）本実施形態では。シールハウジング１１とシールリング１２とを一体に形成したが、別体に形成されたものであってもよい。
【００２４】
（２）シールリング１２は、必ずしもシールハウジング１１の外周縁に配する必要はなく、シールハウジング１１の前面に周方向に沿って配置し、シールハウジング１１を組み付けた状態で、ハウジング本体１の後面に圧縮状態で突き当てられるようにしてもよい。
【００２５】
（３）本実施形態では、本発明を雌コネクタＣに適用した場合を示したが、雄コネクタに適用することも可能である。
【図面の簡単な説明】
【００２６】
【図１】コネクタの分解状態を示す側断面図
【図２】コネクタが組み付けられた後の状態を示す側断面図
【図３】組付け凹部内からキャビティを視た場合の背面図
【図４】雌端子金具を収容しない状態で筒状路側からキャビティを視た場合の背面図
【図５】従来技術における問題点を示す断面図
【符号の説明】
【００２７】
１…ハウジング本体
２…キャビティ
３…雌端子金具
４…ランス
５…電線
６…ゴム栓
７…シールユニット
８…組付け凹部
１０…後部側開口
１１…シールリング
１３…筒状路
１４…係止腕（ロック部）
Ｃ…コネクタ
【図１】
2009110685.tif 000003
【図２】
2009110685.tif 000004
【図３】
2009110685.tif 000005
【図４】
2009110685.tif 000006
【図５】
2009110685.tif 000007